(57)【要約】【課題】  交流電源と直流電源の両方に共用でき、低耐圧のトランスを使用することができる通信処理制御回路を提供する。【解決手段】  通信制御用ＣＰＵ１１と、通信制御ＣＰＵ１１により制御され、電源線通信処理を行う電源線通信部１７を備えた通信処理制御回路において、電源入力端子１６と電源回路２の間に２個のインダクタ８、９を直列に接続し、送信端子１４、受信端子１５と電源回路２との間にトランス７を接続し、トランス７と電源回路２との間に、２個のコンデンサ４、５を直列に、１個の抵抗６を並列に接続したフィルタを設けた。【選択図】図１
2005159921.tif 000002
【特許請求の範囲】
【請求項１】
通信制御用ＣＰＵと、前記通信制御ＣＰＵにより制御され、電源線通信処理を行う電源線通信部を備えた通信処理制御回路において、
電源入力端子と電源回路の間に２個のインダクタを直列に接続し、送信端子、受信端子と前記電源回路との間にトランスを接続し、前記トランスと前記電源回路との間に、２個のコンデンサを直列に、１個の抵抗を並列に接続したフィルタを設けたことを特徴とする通信処理制御回路。
【発明の詳細な説明】
【技術分野】
【０００１】
本発明は、電源線による通信を行う通信処理制御回路に関する。
【背景技術】
【０００２】
従来の電源線通信を行う電源線通信処理回路には、例えば特許文献１がある。従来技術を図３、図４を使用して説明する。
図３は空気調和機に適用された従来の電源線通信処理回路のブロック図である。図３において、室内機１１３では、接続線１１９と室内制御回路１１０との間に変復調回路１１７−ａが接続され、室外機１１４では、接続線１１９と室外制御回路１１１との間に変復調回路１１７−ｂが接続されている。室内制御機１１０から出力された送信情報信号は、変復調回路１１７−ａにより、接続線１１９上の直流電圧を変調して室外機１１４に伝送され、室外機１１４では、この送信情報信号が変復調回路１１７−ｂで復調されて室外制御回路１１１に供給される。また、室外制御回路１１１から出力された送信情報信号は、変復調回路１１７−ｂにより、接続線１１９上の直流電圧を変調して室内機１１３に伝送され、室内機１１３では、この送信情報信号が変復調回路１１７−ａで復調されて室内制御回路１１０に供給される。送信情報信号が直流電圧を変調することにより、この情報信号の室内制御回路１１０，室外制御回路１１１間の通信が行なわれる。
【０００３】
図４は図３の変復調回路１１７−ａ，１１７−ｂの具体例を示す回路図で、１１９−ａ，１１９−ｂは電線、１２０−ａ，１２０−ｂはトランス，１２１−ａ，１２１−ｂはキャパシタ，１２２−ａ，１２２−ｂはインダクタ、１２３−ａ１，１２３−ａ２，１２３−ａ３，１２３−  ｂ１，１２３−ｂ２，１２３−ｂ３は巻線である。室内機１１３の変復調回路１１７−ａは、トランス１２０−ａと直流阻止用のキャバシタ１２１−ａとインピーダンスアップ用のインダクタ１２２−ａとからなっている。室内制御回路１１０，直流電源回路１１２間の接続線１１９は２つの電線１１９−ａ，１１９−ｂからなり、トランス１２０−ａでの巻線１２３−ａ１の一方の端子が直接電線１１９−ｂに、他方の端子がキャバシタ１２１−ａを介して電線１１９−ａに夫々接続されている。また、トランス１２０−ａの巻線１２３−ａ２は室内制御回路１０の送信端子に、トランス１２０−ａの巻線１２３−ａ３は室内制御回路１１０の受信端子に夫々接続されている。さらに、電線１１９−ａには、キャパシタ１２１−ａと電線１１９−ａとの接続点と室内制御回路１１０との間に、インダクタ１２２−ａが設けられている。室外機１１４側の変復調回路１１７−ｂは、トランス１２０−ｂと直流阻止用のキャバシタ１２１−ｂとインピーダンスアップ用のインダクタ１２２−ｂとからなっている。トランス１２０−ｂでの巻線１２３−ｂ１の一方の端子が直接電線１１９−ｂに、他方の端子がキャバシタ１２１−ｂを介して電線１１９−ａに夫々接続されている。また、トランス１２０−ｂの巻線１２３−ｂ２は室外制御回路１１の送信端子に、トランス１２０−ｂの巻線１２３−ｂ３は室外制御回路１１１の受信端子に夫々接続されている。さらに、電線１１９−ａには、キャパシタ１２１−ｂと電線１１９−ａとの接続点と直流電源回路１１２との間に、インダクタ１２２−ｂが設けられている。
【０００４】
このように、従来例では高周波数の通信用信号を電源に重畳するため電源線との接続にトランスを設け、さらに、電源線とトランスの間にコンデンサを挿入して直流電源で使用する場合にトランスへ直流分の電圧が加わらないように、また交流電源で使用する場合には電源周波数成分が受信信号処理部へ通過するのを防ぐ構成となっている。
次に動作波形について説明する。図５は従来の電源線通信処理回路の動作波形を示す図である。図４の電源線のＡ−Ａ‘間には図５（ａ）に示す電源電圧に信号波形が重畳された電圧が発生するが、コンデンサ１２１−ａを通過することにより、電源の直流電圧成分が除去され、トランス１２３−ａのＢ−Ｂ‘間には図５（ｂ）に示す通信信号の交流成分のみが印加される。このようにコンデンサによりトランス１２３−ａへの直流電圧を除去し、トランスの飽和による通信信号の歪みを防ぐ回路で構成される。
【０００５】
【特許文献１】特開平７−１２７８９６号公報
【発明の開示】
【発明が解決しようとする課題】
【０００６】
しかしながら、従来例にようにトランスによる電源線通信処理回路を交流電源に使用する場合、トランスには交流電圧が印加されるため、交流電圧がコンデンサを経由して通過してしまい、トランスの受信出力には電源波形に信号が重畳されたまま出力される。そのため、受信処理回路では受信信号から電源周波数成分を除去するフィルタ回路が必要となり、直流電源の電源線通信処理部にさらに回路が追加される構成になり、直流電源を使用する場合と交流電源を使用する場合とで回路が共用できない、という問題があった。また、トランスに交流電源電圧が印加されるため高耐圧特性のトランスが必要になるという問題もあった。
本発明はこのような問題点に鑑みてなされたものであり、通信処理制御回路の入力部の交流電源周波数成分を除去することで交流電源と直流電源の両方に共用できるとともに、低耐圧のトランスを使用することができる通信処理制御回路を提供することを目的とするものである。
【課題を解決するための手段】
【０００７】
請求項１に記載の発明は、通信制御用ＣＰＵと、通信制御ＣＰＵにより制御され、電源線通信処理を行う電源線通信部を備えたネットワーク装置において、電源入力端子と電源の間に直列に２個のインダクタを接続し、送信端子、受信端子と前記電源との間にトランスを接続し、トランスと電源との間に、２個のコンデンサを直列に、１個の抵抗を並列に接続したフィルタを設けたので、同一回路構成で交流電源と直流電源で共用できる電源線通信処理回路を構成することができる。
【発明の効果】
【０００８】
本発明のネットワーク装置によれば、同一回路構成で交流電源と直流電源の両方の電源への接続が可能となり、耐圧の低いトランスを使用することができるようになった。
【発明を実施するための最良の形態】
【０００９】
以下、本発明の実施を図を用いて説明する。
【実施例１】
【００１０】
図１は、本発明の電源線通信処理回路の実施例のブロック図である。図において、１は通信処理制御回路、２は電源回路、３は電源線、４、５はコンデンサ、６は抵抗、７はトランス、８、９はインダクタ、１１は通信処理制御回路内の通信制御用ＣＰＵ，１２は送信回路、１３は受信回路、１４は送信端子、１５は受信端子、１６は電源入力端子、１７は電源線通信部である。
本発明が従来技術と異なる点は、通信制御用ＣＰＵ１１と、前記通信制御ＣＰＵ１１により制御され、電源線通信処理を行う電源線通信部を備えた通信処理制御回路において、電源入力端子１６と電源回路２の間に２個のインダクタ８、９を直列に接続し、送信端子１４、受信端子１５と電源回路２との間にトランス７を接続し、トランス７と電源回路２との間に、２個のコンデンサ４、５を直列に、１個の抵抗６を並列に接続したフィルタを設けた点である。
【００１１】
次に動作について説明する。
電源回路２の出力ａは電源電圧に高周波数で変調された信号成分が含まれる。通信処理制御回路１の電源入力端子１６は電源回路２の出力ａを受けるがインダクタ８、９により高周波数信号成分が除去され、電源入力端子１６に到達するのはほぼ電源周波数成分だけとなる。また、電源回路２の出力ａはコンデンサ４、５と抵抗６からなるハイパスフィルタを通してトランス７に入力される。出力ａの電源周波数成分はハイパスフィルタにより除去され、トランス７に到達するのは高周波数の信号成分だけとなる。
【００１２】
次にハイパスフィルタの特性について説明する。
図２は、本発明の通信処理制御回路によるフィルタ特性を示したものである。図２のハイパスフィルタのカットオフ周波数ｆｃは式（１）で示され、コンデンサ４，５の容量値Ｃと抵抗６の抵抗値Ｒで設定する。カットオフ周波数ｆｃを電源周波数よりも高く、電源線に重畳される通信信号の周波数よりも低く設定することで電源回路２が交流電源の場合に電源周波数成分を除去し、通信信号を取り出すことができる。また電源回路２が直流電源の場合も周波数が０の直流成分は除去される。トランス側から電源線を見た場合は線路に直列にコンデンサが接続されたものとみなすことができ、送信出力の信号には影響しない。
【００１３】
ｆｃ＝１／（２πＲＣ））                                ・・・（１）
【００１４】
このように入力部にコンデンサと抵抗からなる簡単な構成のハイパスフィルタを設けることによって交流電源の場合の電源周波数成分や直流電源の直流成分をトランス７に印加することを防ぐことができ、通信処理制御回路の図示しない受信処理回路の電源周波数除去用のフィルタをなくすことができ、受信処理回路を直流電源用と交流電源用で共用することができる。
また、トランス７への電源周波数電圧の印加を無くすことによりトランス７への印加電圧は通信信号電圧に低減される。このため、使用するトランス７の耐電圧を下げることができ、トランスのコストを下げる事ができる。
さらにハイパスフィルタのカットオフ周波数の設定により、電源線６からのノイズ、例えば交流電源の整流による電源周波数の倍数の高調波ノイズも除去することができる。
【産業上の利用可能性】
【００１５】
電力線や電源線は電話線よりインフラ整備が進んでおり、これらを利用した電力線通信や電源線通信は通信業界にとっても期待の大きい分野である。直流電源と交流電源の両方に接続可能な電源線通信装置を提供することにより、使いやすさの向上や低コスト化だけではなく、既設のインフラを使用できることによる省資源化も図れる。
【図面の簡単な説明】
【００１６】
【図１】本発明の第１実施例を示す電源線通信処理回路のブロック図
【図２】本発明の電源線通信処理回路によるフィルタ特性を示す図
【図３】従来の電源線通信処理回路のブロック図
【図４】従来の電源線通信処理回路の変復調回路の具体例
【図５】従来の電源線通信処理回路の動作波形を示す図であって、（ａ）は図４のＡ−Ａ'の電圧波形、（ｂ）はＢ−Ｂ'の電圧波形である。
【符号の説明】
【００１７】
１  通信処理制御回路
２  電源回路
３  電源線
４、５  コンデンサ
６    抵抗
７    トランス
８、９  インダクタ
１１  通信制御用ＣＰＵ
１２  送信回路
１３  受信回路
１４  送信端子
１５  受信端子
１６  電源入力端子
１７  電源線通信部
１１９  電源線
１１０  室内制御回路
１１１  変復調回路
１１２  直流電源回路
１２１−ａ、１２１−ｂ  コンデンサ
１１７−ａ、１１７−ｂ  インダクタ
１２３−ａ、１２３−ｂ  トランス
【図１】
2005159921.tif 000003
【図２】
2005159921.tif 000004
【図３】
2005159921.tif 000005
【図４】
2005159921.tif 000006
【図５】
2005159921.tif 000007